【手続補正書】
【提出日】平成18年3月23日(2006.3.23)
【手続補正１】
【補正対象書類名】明細書
【補正対象項目名】発明の名称
【補正方法】変更
【補正の内容】
【発明の名称】情報処理装置および方法、記録媒体、並びに情報記録媒体
【手続補正２】
【補正対象書類名】明細書
【補正対象項目名】特許請求の範囲
【補正方法】変更
【補正の内容】
【特許請求の範囲】
【請求項１】  入力される情報から、第１のコピー制御情報を含む主情報と前記主情報の属性を表す補助情報を抽出する抽出手段と、
前記抽出手段により抽出された前記補助情報に基づいて、第２のコピー制御情報を生成する生成手段と、
前記生成手段により生成された前記第２のコピー制御情報を、前記抽出手段により抽出された前記主情報に付加する第１の付加手段と
を備えることを特徴とする情報処理装置。
【請求項２】  前記第１のコピー情報の有効性を表す情報を発生する発生手段と、
前記発生手段が発生した情報を、前記抽出手段により抽出された前記主情報に付加する第２の付加手段と
をさらに備えることを特徴とする請求項１に記載の情報処理装置。
【請求項３】  前記主情報は、トランスポートストリームであり、
前記補助情報は、前記主情報が暗号化されているモードを表す情報である
ことを特徴とする請求項１に記載の情報処理装置。
【請求項４】  前記第１の付加手段は、前記トランスポートストリームのトランスポートパケット毎に前記第２のコピー制御情報を付加する
ことを特徴とする請求項３に記載の情報処理装置。
【請求項５】  前記情報は、IEEE1394デジタルインタフェースを介して入力され、
前記補助情報は、EMIである
ことを特徴とする請求項１に記載の情報処理装置。
【請求項６】  前記主情報から、前記第１のコピー制御情報を抽出し、解析する解析手段と、
前記解析手段の解析結果に対応して、前記主情報の前記第１のコピー制御情報を書き換える書き換え手段と
をさらに備えることを特徴とする請求項１に記載の情報処理装置。
【請求項７】  前記付加手段により前記第２のコピー制御情報が付加された前記主情報を、記録媒体に記録する記録手段と
をさらに備えることを特徴とする請求項１に記載の情報処理装置。
【請求項８】  入力される情報から、第１のコピー制御情報を含む主情報と前記主情報の属性を表す補助情報を抽出する抽出ステップと、
前記抽出ステップで抽出された前記補助情報に基づいて、第２のコピー制御情報を生成する生成ステップと、
前記生成ステップで生成された前記第２のコピー制御情報を、前記抽出ステップで抽出された前記主情報に付加する付加ステップと
を含むことを特徴とする情報処理方法。
【請求項９】  入力される情報から、第１のコピー制御情報を含む主情報と前記主情報の属性を表す補助情報を抽出する抽出ステップと、
前記抽出ステップで抽出された前記補助情報に基づいて、第２のコピー制御情報を生成する生成ステップと、
前記生成ステップで生成された前記第２のコピー制御情報を、前記抽出ステップで抽出された前記主情報に付加する付加ステップと
を含むことを特徴とするプログラムをコンピュータに実行させる記録媒体。
【請求項１０】 情報処理装置から供給された第１のコピー制御情報を含むトランスポートストリームを記録する情報記録媒体において、
前記トランスポートストリームの属性を表す補助情報に基づいて生成された第２のコピー制御情報が、前記トランスポートストリームのトランスポートパケット毎に付加されて記録されている
ことを特徴とする情報記録媒体。
【請求項１１】 前記トランスポートパケットにはヘッダが付加されており、前記ヘッダに前記第２のコピー制御情報が記録されている
ことを特徴とする請求項１０に記載の情報記録媒体。
【請求項１２】  入力される情報から、第１のコピー制御情報を含む主情報と、前記主情報に付加されている第２のコピー制御情報を抽出する抽出手段と、
前記抽出手段により抽出された前記第２のコピー制御情報に基づいて、前記主情報に含まれる前記第１のコピー制御情報を書き換えるための書き換え情報を生成する生成手段と、
前記生成手段により生成された前記書き換え情報で、前記抽出手段により抽出された前記主情報の前記第１のコピー制御情報を書き換える書き換え手段と
を備えることを特徴とする情報処理装置。
【請求項１３】  記録媒体に記録されている前記第２のコピー制御情報が付加された前記主情報を再生する再生手段と
をさらに備えることを特徴とする請求項１０に記載の情報処理装置。
【請求項１４】  前記抽出手段は、入力される前記情報から、前記第１のコピー制御情報の有効性を表す情報を抽出する手段を有し、
前記抽出手段により抽出された前記有効性を表す情報に基づいて、前記書き換え手段により前記第１のコピー制御情報が書き換えられた前記主情報、または前記第１のコピー制御情報が書き換えられていない前記主情報の一方を出力する出力手段
をさらに備えることを特徴とする請求項１０に記載の情報処理装置。
【請求項１５】  入力される情報から、第１のコピー制御情報を含む主情報と、前記主情報に付加されている第２のコピー制御情報を抽出する抽出ステップと、
前記抽出ステップで抽出された前記第２のコピー制御情報に基づいて、前記主情報に含まれる前記第１のコピー制御情報を書き換える書き換え情報を生成する生成ステップと、
前記生成ステップで生成された前記書き換え情報で、前記抽出ステップで抽出された前記主情報の前記第１のコピー制御情報を書き換える書き換えステップと
を含むことを特徴とする情報処理方法。
【請求項１６】  入力される情報から、第１のコピー制御情報を含む主情報と、前記主情報に付加されている第２のコピー制御情報を抽出する抽出ステップと、
前記抽出ステップで抽出された前記第２のコピー制御情報に基づいて、前記主情報に含まれる前記第１のコピー制御情報を書き換える書き換え情報を生成する生成ステップと、
前記生成ステップで生成された前記書き換え情報で、前記抽出ステップで抽出された前記主情報の前記第１のコピー制御情報を書き換える書き換えステップと
を含むことを特徴とするプログラムをコンピュータに実行させる記録媒体。
【手続補正３】
【補正対象書類名】明細書
【補正対象項目名】０００１
【補正方法】変更
【補正の内容】
【０００１】
【発明の属する技術分野】
本発明は、情報処理装置および方法、記録媒体、並びに情報記録媒体に関し、特に、より確実にコピー制限を行うことができるようにした、情報処理装置および方法、記録媒体、並びに情報記録媒体に関する。
【手続補正４】
【補正対象書類名】明細書
【補正対象項目名】００１９
【補正方法】変更
【補正の内容】
【００１９】
請求項９に記載の記録媒体のプログラムは、入力される情報から、第１のコピー制御情報を含む主情報と主情報の属性を表す補助情報を抽出する抽出ステップと、抽出ステップで抽出された補助情報に基づいて、第２のコピー制御情報を生成する生成ステップと、生成ステップで生成された第２のコピー制御情報を、抽出ステップで抽出された主情報に付加する付加ステップとを含むことを特徴とする。
請求項１０に記載の情報記録媒体は、情報処理装置から供給された第１のコピー制御情報を含むトランスポートストリームを記録する情報記録媒体であって、トランスポートストリームの属性を表す補助情報に基づいて生成された第２のコピー制御情報が、トランスポートストリームのトランスポートパケット毎に付加されて記録されていることを特徴とする。
【手続補正５】
【補正対象書類名】明細書
【補正対象項目名】００２０
【補正方法】変更
【補正の内容】
【００２０】
請求項１２に記載の情報処理装置は、入力される情報から、第１のコピー制御情報を含む主情報と、主情報に付加されている第２のコピー制御情報を抽出する抽出手段と、抽出手段により抽出された第２のコピー制御情報に基づいて、主情報に含まれる第１のコピー制御情報を書き換える書き換え情報を生成する生成手段と、生成手段により生成された書き換え情報で、抽出手段により抽出された主情報の第１のコピー制御情報を書き換える書き換え手段とを備えることを特徴とする。
【手続補正６】
【補正対象書類名】明細書
【補正対象項目名】００２１
【補正方法】変更
【補正の内容】
【００２１】
請求項１５に記載の情報処理方法は、入力される情報から、第１のコピー制御情報を含む主情報と、主情報に付加されている第２のコピー制御情報を抽出する抽出ステップと、抽出ステップで抽出された第２のコピー制御情報に基づいて、主情報に含まれる第１のコピー制御情報を書き換える書き換え情報を生成する生成ステップと、生成ステップで生成された書き換え情報で、抽出ステップで抽出された主情報の第１のコピー制御情報を書き換える書き換えステップとを含むことを特徴とする。
【手続補正７】
【補正対象書類名】明細書
【補正対象項目名】００２２
【補正方法】変更
【補正の内容】
【００２２】
請求項１６に記載の記録媒体のプログラムは、入力される情報から、第１のコピー制御情報を含む主情報と、主情報に付加されている第２のコピー制御情報を抽出する抽出ステップと、抽出ステップで抽出された第２のコピー制御情報に基づいて、主情報に含まれる第１のコピー制御情報を書き換える書き換え情報を生成する生成ステップと、生成ステップで生成された書き換え情報で、抽出ステップで抽出された主情報の第１のコピー制御情報を書き換える書き換えステップとを含むことを特徴とする。
【手続補正８】
【補正対象書類名】明細書
【補正対象項目名】００２３
【補正方法】変更
【補正の内容】
【００２３】
請求項１に記載の情報処理装置、請求項８に記載の情報処理方法、および請求項９に記載の記録媒体においては、抽出された補助情報に基づいて生成された第２のコピー制御情報が、主情報に付加される。
請求項１０に記載の情報記録媒体においては、トランスポートストリームの属性を表す補助情報に基づいて生成された第２のコピー制御情報が、第１のコピー制御情報を含むトランスポートストリームのトランスポートパケット毎に付加されて記録されている。
【手続補正９】
【補正対象書類名】明細書
【補正対象項目名】００２４
【補正方法】変更
【補正の内容】
【００２４】
請求項１２に記載の情報処理装置、請求項１５に記載の情報処理方法、および請求項１６に記載の記録媒体においては、情報から抽出された第２のコピー制御情報に基づいて、主情報に含まれる第１のコピー制御情報が書き換えられる。
【手続補正１０】
【補正対象書類名】明細書
【補正対象項目名】００７９
【補正方法】変更
【補正の内容】
【００７９】
【発明の効果】
以上のように、請求項１に記載の情報処理装置、請求項８に記載の情報処理方法、および請求項９に記載の記録媒体によれば、抽出された補助情報に基づいて、第２のコピー制御情報を生成し、生成された第２のコピー制御情報を、主情報に付加するようにしたので、また、請求項１０に記載の情報記録媒体によれば、トランスポートストリームの属性を表す補助情報に基づいて生成された第２のコピー制御情報を、第１のコピー制御情報を含むトランスポートストリームのトランスポートパケット毎に付加して記録するようにしたので、第１のコピー制御情報を解析することができない装置においても、コピー管理を行うことが可能となる。
【手続補正１１】
【補正対象書類名】明細書
【補正対象項目名】００８０
【補正方法】変更
【補正の内容】
【００８０】
請求項１２に記載の情報処理装置、請求項１５に記載の情報処理方法、および請求項１６に記載の記録媒体によれば、入力された情報から抽出された第２のコピー制御情報に基づいて、第１のコピー制御情報を書き換えるようにしたので、情報を記録する装置を用いずとも、コピーの管理が可能となる情報を生成することが可能となる。